(57)【要約】【課題】ゴミ箱機能を持たせることにより、生じるゴミを美しく処理できるとともに、組み立ても容易で低コストな包装容器を提供する【解決手段】包装容器１００は、包装箱１０と、包装箱１０の表面全体を被覆するフィルム１５により構成される。フィルム１５には開封テープ１７が貼着されており、Ｕ字型のミシン目１９に囲まれた押し込み片２０が形成されている。開封テープ１７を引き剥がすと、フィルム１５は包装箱１０の一部を被覆したままフィルム袋１８として残存する。内容物を包装していた包装材１２を処理する場合、包装箱１０を矢印Ｂ方向にスライドさせ、押し込み片２０を指で押圧してミシン目１９を破断させてフィルム袋１８の側面に開口２１を形成する。そして、包装材１２を圧縮し、開口２１からフィルム袋１８内に挿入する。【選択図】図５
2008087803.tif 000002
【特許請求の範囲】
【請求項１】
開閉可能な包装箱と、該包装箱の表面を被覆するフィルムとから成り、
包装材で個別に包装された内容物を複数個収納する包装容器において、
前記フィルムの側面には少なくとも一部がミシン目で囲まれた押し込み片が形成されており、前記フィルムの一端を切り取った残部で形成されるフィルム袋を前記包装箱に沿ってスライドさせた後、ミシン目を破断して前記押し込み片を内側に撓ませることにより、前記包装箱と前記フィルム袋との隙間へ開封後の包装材を挿入可能としたことを特徴とする包装容器。
【請求項２】
前記押し込み片は、前記フィルム袋の底面から離れた位置に形成されることを特徴とする請求項１に記載の包装容器。
【請求項３】
前記押し込み片は、前記フィルム袋の底面方向が内側に撓むように形成されることを特徴とする請求項１又は請求項２に記載の包装容器。
【発明の詳細な説明】
【技術分野】
【０００１】
本発明は、個別に包装されたチョコレートやガム、飴等を複数個収納して販売するための、紙製の包装箱とそれを包むフィルムとから成る包装容器に関するものである。
【背景技術】
【０００２】
従来、一口で食べられるブロック型のチョコレートやガム、飴などの菓子は、包み紙や樹脂フィルム袋で個別に包装されたものを、紙箱内に複数個収納した状態で販売されている。そして、包み紙や樹脂フィルム袋自体、或いはガムの場合は食べ終わったものを包んだ包み紙からなるゴミは、近くにゴミ箱等の適当な捨て場所が見当たらない場合には、そのまま路上や床（駅の構内等）に捨てられたり或いはポケットに入れられたりすることが多い。特にガムの場合には、そのまま捨てられると道路や床、さらには靴の裏にくっ付いてしまい、簡単には取れない状態となり剥す作業が大変なものとなっている。また、ポケットに入れた場合には、後で捨て忘れてそのまま洗濯してしまい、衣類等を汚すことも発生している。また、元の紙箱内に入れると、まだ中身の残っている未開封のものと区別がつかなくなってしまう。
【０００３】
上記のような事態を防ぐために、従来、商品に別体のゴミ袋をセットすることが一部で行われている。しかし、上記のように別のゴミ袋を商品にセットすることはなかなか難しく、また開封後はゴミ袋をどこかに入れて持ち歩かなければならず、ともすると結局ゴミ扱いされて捨てられることになるという問題点があった。
【０００４】
そこで、個別に包装された菓子を収納する外箱にゴミを収納する部分を設ける方法が提案されており、例えば特許文献１には、角筒状の紙箱の一端に物を押し込む時のみ開口し、それ以外は閉鎖状態となる反動蓋部を設け、内部にはスライド可能な分離板を設けてゴミを収納可能とした菓子用紙箱が開示されている。また、紙箱にゴミ入れを設けた例としては、紙箱内を仕切板で２室に分け、一方をゴミ収納用としたティッシュペーパー収納箱が開示されている。
【０００５】
しかしながら、特許文献１の方法では、一端から内容物を順次取り出す角筒状の紙箱には適用できるものの、例えば中箱と筒状の外箱とから構成されるスライド式の紙箱や、上面を開封して中身を取り出すタイプの紙箱には適用できず、菓子用紙箱全般に応用できるものではなかった。また、特許文献１〜３の構成では、紙箱本体とは別個に仕切板を設ける必要があるため、組み立て作業性の低下や紙箱のコストアップに繋がるという問題点があった。
【特許文献１】特開平６−１３５４３６号公報
【特許文献２】特開昭５３−１１３６８１号公報
【特許文献３】実開平５−６１０８１号公報
【発明の開示】
【発明が解決しようとする課題】
【０００６】
本発明は上記問題点に鑑み、ゴミ箱機能を持たせることにより、生じるゴミを美しく処理できるとともに、組み立ても容易で低コストな包装容器を提供することを目的としている。
【課題を解決するための手段】
【０００７】
上記目的を達成するために本発明は、開閉可能な包装箱と、該包装箱の表面を被覆するフィルムとから成り、包装材で個別に包装された内容物を複数個収納する包装容器において、前記フィルムの側面には少なくとも一部がミシン目で囲まれた押し込み片が形成されており、前記フィルムの一端を切り取った残部で形成されるフィルム袋を前記包装箱に沿ってスライドさせた後、ミシン目を破断して前記押し込み片を内側に撓ませることにより、前記包装箱と前記フィルム袋との隙間へ開封後の包装材を挿入可能としたことを特徴としている。
【０００８】
また本発明は、上記構成の包装容器において、前記押し込み片は、前記フィルム袋の底面から離れた位置に形成されることを特徴としている。
【０００９】
また本発明は、上記構成の包装箱において、前記押し込み片は、前記フィルム袋の底面方向が内側に撓むように形成されることを特徴としている。
【発明の効果】
【００１０】
本発明の第１の構成によれば、包装箱の表面を被覆するフィルムの開封により形成されるフィルム袋を利用して、包装箱とフィルム袋との隙間に開封後の包装材を挿入可能とすることにより、内容物を個別に包装する包装材等を散逸することなく美しく処理することができ、包装容器と共に一度に廃棄できるため効率的である。また、未開封及び開封済みの包装材が包装箱内部で混在しないため、内容物が入った未開封の包装材を容易に区別することができる。さらに、フィルムに押し込み片を形成するミシン目を入れておくだけで良いため、従来に比べコストアップとなる心配もない。
【００１１】
また、本発明の第２の構成によれば、上記第１の構成の包装容器において、押し込み片をフィルム袋の底面から離れた位置に形成することにより、押し込み片を撓ませて包装材を挿入した後、包装箱をフィルム袋の底面方向にスライドさせると、押し込み片の撓みにより形成された開口は包装箱で閉鎖されるため、包装材の再漏出が防止される。
【００１２】
また、本発明の第３の構成によれば、上記第１又は第２の構成の包装容器において、押し込み片をフィルム袋の底面方向が内側に撓むように形成することにより、包装箱をスライドさせた時に押し込み片の先端が包装箱の端部と干渉せず、フィルム袋が破損するおそれがなくなる。
【発明を実施するための最良の形態】
【００１３】
以下、図面を参照しながら本発明の実施形態をについて説明する。図１（ａ）、（ｂ）は、包装箱を構成する中箱の平面図及び側面図、図２（ａ）、（ｂ）は、中箱を外箱に挿入した包装箱の平面図及び側面断面図（図２（ａ）のＡ−Ａ′断面）である。各図において共通する部分には同一の符号を付している。本発明の包装容器は、紙製の包装箱１０と、包装箱１０の表面を被覆するフィルム（後述）とで構成される。
【００１４】
図１において、中箱１は一枚の紙を打ち抜いて一体に組み立てられており、底板２の長辺に沿って側壁３が垂直に立設されている。底板２の短辺側の側壁は長手方向（図の左右方向）に延長されており、図１（ｂ）に示すように断面コ字状に折り曲げられた後、先端の接着片４が底板２に接着されて支柱部５ａ、５ｂが形成されている。側壁３には支柱部５ａに隣接して半円形の切り欠き部６が形成されている。
【００１５】
また、側壁３の両端部には舌片７ａ、７ｂ及び７ｃが連設されており、それぞれ内側に折り曲げられた後、舌片７ａ、７ｂは支柱部５ａ、舌片７ｃは支柱部５ｂの内面に沿って配置されている。これにより、支柱部５ａ、５ｂが内側から補強され、中箱１は外箱９からの出し入れに耐えうる強度が確保される。支柱部５ａの内側（切り欠き部６側）の角部中央には中箱１の組み立て前に予め切り込みが入れられており、支柱部５ａの折り曲げに伴い切り起こし８が形成される。
【００１６】
包装箱１０は、この中箱１と、中箱１に外挿される角筒状の外箱９とから成り、包装箱１０の内部には、菓子等の内容物１１が、包装材１２により個別に包装された状態で複数個収納されている。そして、中箱１を矢印Ｂ方向にスライドさせて外箱９から引き出すことにより、内容物１１の取り出しが可能となっている。
【００１７】
また、外箱９の一端には矩形状の切り欠き部９ａが形成されており、支柱部５ａの上面及び底面を把持して中箱１を容易に引き出せるようになっている。中箱１が所定量引き出された後は、切り欠き部６に指を掛けて中箱１をさらに引き出すことができる。内容物１１を所定量取り出した後は、中箱１を矢印Ｂ′方向にスライドさせて外箱９に挿入することにより包装箱１０が閉鎖される。
【００１８】
図３は、図２（ｂ）の破線円Ｓ内の拡大図である。外箱９の切り欠き部９ａの中央には係合片１３が設けられており、中箱１を矢印Ｂ′方向にスライドさせて外箱９に完全に挿入したとき、外箱９の内側に折り曲げられた係合片１３が支柱部５ａの切り起こし８を図の右側から左側へ乗り越えて係合し、図３に示す状態となる。この係合時のクリック感により、中箱１が完全に挿入されたことを確認できるとともに、係合片１３と切り起こし８との係合によって中箱１の自由なスライドを規制している。中箱１の引き出し時には、図３の状態から係合片１３及び切り起こし８が所定量撓み、係合片１３が切り起こし８を図の左側から右側へ乗り越えて係合が解除され、中箱１の矢印Ｂ方向へのスライドが可能となる。
【００１９】
ところで、上述したような包装箱１０は、埃や汚れの付着防止及び外観の向上のため、或いは未開封であるか否かを容易に確認するために、表面をフィルムで被覆される場合が多い。図４（ａ）は、包装箱の表面をフィルムで被覆した本発明の包装容器の平面図であり、図４（ｂ）は、フィルムの一端を開封した状態を示す平面図である。
【００２０】
図４（ａ）に示すように、中箱１と外箱９とから成る包装箱１０は、フィルム１５により表面全体を被覆されて包装容器１００を構成している。フィルム１５は、通常は外箱９のデザインが透視できる透明フィルムが用いられるが、着色フィルムやデザインが描かれたフィルムを用いることもできる。フィルム１５の材質としては、例えばポリエチレン、ポリプロピレン、ポリエステル、セロハン等が挙げられる。フィルム１５の内面には、中箱１の引き出し側（図４の左側）寄りに開封テープ１７が包装箱１０の側面を一周するように貼着されており、引き出し側と反対側（図４の右側）寄りの側面には、Ｕ字型のミシン目１９に囲まれた押し込み片２０が形成されている。
【００２１】
開封テープ１７の先端を把持して引き剥がすと、フィルム１５は開封テープ１７と共にリング状に切り取られるため、図４（ｂ）のように中箱１の引き出し側のフィルム１５を除去して、包装箱１０の端部を露出させる。そして、前述したように中箱１を外箱９から引き出して内容物１１（図２参照）が取り出される。一方、反対側のフィルム１５は包装箱１０の一部を被覆したまま袋状に残存する（以下、フィルム袋１８とする）。
【００２２】
次に、開封後の包装材１２を処理する方法について、図５及び図６を用いて説明する。先ず、図５（ａ）に示すように、押し込み片２０が包装箱１０と重ならない位置まで包装箱１０を矢印Ｂ方向にスライドさせる。次いで、図５（ｂ）に示すように、押し込み片２０を指で押圧してミシン目１９を破断させ、フィルム袋１８の側面に開口２１を形成する。そして、包装材１２を小さく圧縮し、開口２１からフィルム袋１８内に挿入する。
【００２３】
その後、包装箱１０を矢印Ｂ′方向にスライドさせると、図６に示すように、包装材１２はフィルム袋１８の底面１８ａと包装箱１０との隙間に保持される。これにより、開封済の包装材１２を散逸することなく美しく処理することができ、包装箱１００と共に一度に廃棄できるため効率的である。また、開口２１から押し込んだ包装材１２が包装箱１０内に混入せず、開封済の包装材１２と内容物１１が入った未開封の包装材１２とを区別して収納することができる。
【００２４】
また、押し込み片２０を設ける位置については、フィルム袋１８の側面であれば特に限定されるものではないが、この例においては、押し込み片２０はフィルム袋１８の底面１８ａから所定距離だけ離れた位置に形成されているため、包装箱１０を矢印Ｂ′方向にスライドさせると、開口２１は包装箱１０で閉鎖される。従って、開口２１からの包装材１２の再漏出が確実に防止される。包装材１２の挿入量が増加するにつれてフィルム袋１８内の包装材１２が嵩高くなり、底面１８ａと包装箱１０との隙間も広がるため、押し込み片２０は、包装箱１０内の全ての包装材１２を挿入した状態でも開口２１が包装箱１０で閉鎖されるような位置に設けることが好ましい。
【００２５】
なお、ここでは押し込み片２０は、フィルム袋１８の底面１８ａ方向（図６の右方向）が内側に撓むように形成されているが、ミシン目１９の入れ方を変更することにより逆方向（図６の左方向）或いは直交方向（図６（ａ）の上下方向）が内側に撓むようにしても良い。また、押し込み片２０の全周をミシン目１９で囲む構成としても良い。
【００２６】
しかし、押し込み片２０が逆方向或いは直交方向に内側に撓む構成の場合、包装箱１０を矢印Ｂ′方向へスライドさせる際、押し込み片２０の先端が包装箱１０の端部と干渉してしまい、押し込み片２０がフィルム袋１８と包装箱１０とに挟まれて底面１８ａ方向へ引っ張られ、開口２１が大きく裂けてしまうおそれがある。
【００２７】
また、押し込み片２０全体をミシン目１９で囲んだ場合は、使用者の押圧方向によって押し込み片２０の撓み方向が変わり、ミシン目１９に沿って押し込み片２０を切り取った場合は切り取られた押し込み片２０自体がゴミとなり散逸し易くなる。従って、フィルム袋１８の破損の心配が少なく余分なゴミも発生しない上記実施形態の構成が好ましい。
【００２８】
その他本発明は、上記実施形態に限定されず、本発明の趣旨を逸脱しない範囲で種々の変更が可能である。例えば上記実施形態では、中箱１と外箱９とからなるスライド式の包装箱１０を例に挙げて説明したが、本発明は、図７に示すような開閉可能な蓋部２２が設けられた包装箱１０にも全く同様に適用可能である。また、押し込み片２０の形状や大きさについても包装容器１００の仕様に応じて任意に設定可能である。
【産業上の利用可能性】
【００２９】
本発明は、開閉可能な包装箱と、該包装箱の表面を被覆するフィルムとから成り、包装材で個別に包装された内容物を複数個収納する包装容器において、フィルムの側面には少なくとも一部がミシン目で囲まれた押し込み片が形成されており、フィルムの一端を切り取った残部で形成されるフィルム袋を包装箱に沿ってスライドさせた後、ミシン目を破断して押し込み片を内側に撓ませることにより、包装箱とフィルム袋との隙間へ開封後の包装材を挿入可能としたものである。
【００３０】
これにより、包装材等を散逸することなく美しく処理することができ、未開封及び開封済みの包装材が包装箱内部で混在しないため、内容物が個別に包装されている菓子等に好適な包装容器を簡易且つ低コストで提供することができる。
【００３１】
また、押し込み片をフィルム袋の底面から離れた位置に形成したので、押し込み片の撓みにより形成された開口は包装箱をフィルム袋の底部方向にスライドさせることで閉鎖できるため、包装材の再漏出が防止可能な包装容器となる。さらに、押し込み片がフィルム袋の底面方向に撓むように形成すれば、押し込み片の先端が包装箱の端部と干渉せず、フィルム袋が破損するおそれもなくなる。
【図面の簡単な説明】
【００３２】
【図１】は、本発明の包装容器に用いられる包装箱を構成する中箱の平面図及び側面図である。
【図２】は、本発明の包装容器に用いられる包装箱の平面図及び側面断面図である。
【図３】は、図２（ｂ）の円Ｓ内の部分拡大図である。
【図４】は、本発明の包装容器の開封前及び開封後の平面図である。
【図５】は、押し込み片を押圧してフィルム袋に開口を形成するとともに、開口より包装材を挿入する様子を示す平面図及び側面図である。
【図６】は、包装材を挿入後、包装箱をフィルム袋内に戻した状態を示す平面図及び側面断面図である。
【図７】は、本発明の包装容器に用いられる包装箱の他の形状を示す斜視図である。
【符号の説明】
【００３３】
１                中箱
２                底板
３                側壁
５ａ、５ｂ        支柱部
９                外箱
１０              包装箱
１１              内容物
１２              包装材
１５              フィルム
１７              開封テープ
１８              フィルム袋
１８ａ            底面
１９              ミシン目
２０              押し込み片
２１              開口
１００            包装容器
【図１】
2008087803.tif 000003
【図２】
2008087803.tif 000004
【図３】
2008087803.tif 000005
【図４】
2008087803.tif 000006
【図５】
2008087803.tif 000007
【図６】
2008087803.tif 000008
【図７】
2008087803.tif 000009